(57)【要約】【課題】ＬＡＮ構築に必要なコストを低減でき、８芯ＬＡＮケーブルの布設スペースを有効に利用できるＬＡＮケーブルの結線構造及びこれに用いるＬＡＮ用ローゼットを提供する。【解決手段】８芯ＬＡＮケーブル３、４を介してその８芯中の所定の４芯のみで接続するＬＡＮケーブル３、４の結線構造において、通信機器１、２に接続された２本のＬＡＮケーブル３、４から通信に用いられる所定の４芯ずつの通信線８を抽出し、これらの通信線８を８芯ＬＡＮケーブル１１一本に集合させ、この８芯ＬＡＮケーブル１１の通信線８を接続元ごとに２本のＬＡＮケーブル１３、１４に分割し、これらＬＡＮケーブル１３、１４を他の通信機器１５に接続するものである。【選択図】  図１
2005259456.tif 000002
【特許請求の範囲】
【請求項１】
８芯ＬＡＮケーブルを介してその８芯中の所定の４芯のみで接続するＬＡＮケーブルの結線構造において、通信機器に接続された２本のＬＡＮケーブルから通信に用いられる所定の４芯ずつの通信線を抽出し、これらの通信線を８芯ＬＡＮケーブル一本に集合させ、この８芯ＬＡＮケーブルの通信線を接続元ごとに２本のＬＡＮケーブルに分割し、これらＬＡＮケーブルを他の通信機器に接続することを特徴とするＬＡＮケーブルの結線構造。
【請求項２】
８芯のＬＡＮケーブルを介してその８芯中の所定の４芯のみで接続するネットワーク中に設けられるＬＡＮ用ローゼットにおいて、一方にＬＡＮケーブルを二本接続する二本側接続部と、その二本のＬＡＮケーブルで使用される合計８本の通信線に接続される一本側接続部とを有するＬＡＮ用ローゼット。
【請求項３】
上記接続部が、８極モジュラジャックからなる請求項２記載のＬＡＮ用ローゼット。
【発明の詳細な説明】
【技術分野】
【０００１】
本発明は、通信機器同士を８芯ＬＡＮケーブルを介して接続するＬＡＮケーブルの結線構造に関するものである。
【背景技術】
【０００２】
現在オフィスや家庭等で広くＬＡＮに用いられている１０ＢＡＳＥ−Ｔ規格や１００ＢＡＳＥ−ＴＸ規格に準拠する通信機器同士を接続する場合、８芯ＬＡＮケーブル（ツイストペアケーブル）を介してそれぞれの通信機器同士を接続することとなる。そして、図９に示すように、２台の通信機器（例えば、パーソナルコンピュータ等）１、２を他の通信機器（例えばハブ等）１５に接続する場合も同様に、２本の８芯ＬＡＮケーブル（ツイストペアケーブル）３０を介してそれぞれ接続している。この接続方法によれば、複数の通信機器１、２、１５を簡単な結線構造で確実に接続することができる。
【０００３】
【特許文献１】特開２００１−２９１５６４号公報
【発明の開示】
【発明が解決しようとする課題】
【０００４】
ところで、１０ＢＡＳＥ−Ｔ規格や１００ＢＡＳＥ−ＴＸ規格では、８芯ＬＡＮケーブル３０が備える８芯の通信線８のうち４芯しか使用していないが、上述の結線構造では、後から通信機器を増設したくなった場合や、ＬＡＮ回線を二重化したくなった場合、未使用の通信線８があるにも関わらず、既設回線上に新たに８芯ＬＡＮケーブル３０を布設しなくてはならず、８芯ＬＡＮケーブル３０を布設するための工事費や、８芯ＬＡＮケーブル３０等の配線工事材料費が二重となってコスト高を招いているという課題があった。この問題は、壁や床にＬＡＮケーブル３０を通すべき穴や配管が不足している場合や、上述の２台の通信機器１、２が隣接し、かつ、これらに接続すべき他の通信機器１５が遠く離れている場合、顕著となる。
【０００５】
そこで本発明の目的は、上記課題を解決し、ＬＡＮ構築に必要なコストを低減でき、８芯ＬＡＮケーブルの布設スペースを有効に利用できるＬＡＮケーブルの結線構造及びこれに用いるＬＡＮ用ローゼットを提供することにある。
【課題を解決するための手段】
【０００６】
上記課題を解決するために本発明は、８芯ＬＡＮケーブルを介してその８芯中の所定の４芯のみで接続するＬＡＮケーブルの結線構造において、通信機器に接続された２本のＬＡＮケーブルから通信に用いられる所定の４芯ずつの通信線を抽出し、これらの通信線を８芯ＬＡＮケーブル一本に集合させ、この８芯ＬＡＮケーブルの通信線を接続元ごとに２本のＬＡＮケーブルに分割し、これらＬＡＮケーブルを他の通信機器に接続するものである。
【０００７】
また、８芯のＬＡＮケーブルを介してその８芯中の所定の４芯のみで接続するネットワーク中に設けられるＬＡＮ用ローゼットにおいて、一方にＬＡＮケーブルを二本接続する二本側接続部と、その二本のＬＡＮケーブルで使用される合計８本の通信線に接続される一本側接続部とを有するものとしたものである。
【０００８】
上記接続部は、８極モジュラジャックで構成するとよい。
【発明の効果】
【０００９】
本発明によれば、ＬＡＮ構築に必要なコストを低減でき、８芯ＬＡＮケーブルの布設スペースを有効に利用できる。
【発明を実施するための最良の形態】
【００１０】
図１は、ＬＡＮケーブルの結線構造を示す結線図である。図２（ａ）は図１中のＬＡＮ用ローゼットをＬＡＮケーブルを二本接続する側から見た斜視図であり、（ｂ）は同ＬＡＮ用ローゼットをＬＡＮケーブルを一本接続する側から見た斜視図である。
【００１１】
図１に示すように、１０ＢＡＳＥ−Ｔ規格又は１００ＢＡＳＥ−ＴＸ規格に準拠する通信機器であるＬＡＮカードを備えた２台のパーソナルコンピュータ１、２は、それぞれ８芯ＬＡＮケーブル３、４を介して１つのＬＡＮ用ローゼット５に接続されている。
【００１２】
８芯ＬＡＮケーブル３、４は、カテゴリー５又はエンハンスドカテゴリー５対応のツイストペア（ＵＴＰ：Unshielded Twisted Pair）ケーブルからなり、両端に８極モジュラプラグ６を設けられている。図３に示すように、８極モジュラプラグ６は、１番ピンから８番ピンまでの８極の電極を有し、後述する８極モジュラジャックに着脱自在に挿入されるようになっている。
【００１３】
図１、図２（ａ）及び図２（ｂ）に示すように、ＬＡＮ用ローゼット５は、パーソナルコンピュータ１、２に接続された８芯ＬＡＮケーブル３、４を二本接続するための二本側接続部７と、その二本の８芯ＬＡＮケーブル３、４で使用される合計８本の通信線８に接続される一本側接続部９とを備えて構成されている。二本側接続部７と一本側接続部９のそれぞれの接続部は、８極モジュラプラグ６を着脱自在に装着する８極モジュラジャック１０からなる。二本側接続部７は、それぞれ１番ピンから８番ピンまでの８極の電極のうち、通信に用いられる４極（１、２、３及び６番ピン）のみを一本側接続部９に接続されている。そしてこれにより、パーソナルコンピュータ１、２に接続される８芯ＬＡＮケーブル３、４から通信に用いられる所定の４芯ずつの通信線８のみを抽出し、これら通信線８を一本側接続部９に接続される８芯ＬＡＮケーブル１１一本に集合させるように構成されている。このとき、二本側接続部７のピンと一本側接続部９のピンとは所定の規則で一対一に対応して接続されており、８極モジュラジャック１０のピン番号で通信線８の出所が一義的に決まるようになっている。具体的には、二本側接続部７の一方の接続部７ａは、１、２、３及び６番ピンを一本側接続部９の同じピン番号に接続されており、二本側接続部７の他方の接続部７ｂは、１、２、３及び６番ピンを一本側接続部９の４、５、７及び８番ピンにそれぞれ一対一に割り振って接続されている。
【００１４】
ＬＡＮ用ローゼット５の一本側接続部９は、上述の８芯ＬＡＮケーブル３と同様の８芯ＬＡＮケーブル１１を介して他のＬＡＮ用ローゼット１２の一本側接続部９に接続されている。これら２つのＬＡＮ用ローゼット５、１２は、それぞれ二本側接続部７のピンと一本側接続部９のピンとを同じ規則で一対一に接続する同様のものとなっており、一本側接続部９同士をストレート結線することで、二本側接続部７同士を一対一に対応して接続するようになっている。すなわち、一方のＬＡＮ用ローゼット５で集合させた信号線８を他方のＬＡＮ用ローゼット１２で接続元ごとに分割するようになっている。
【００１５】
また、他方のＬＡＮ用ローゼット１２の二本側接続部７は、それぞれ上述の８芯ＬＡＮケーブル３と同様の８芯ＬＡＮケーブル１３、１４を介して通信機器たるハブ１５に接続されている。
【００１６】
次に本実施の形態の作用を述べる。
【００１７】
２台のパーソナルコンピュータ１、２から発信される信号は、それぞれ通信に用いられる４極の電極のうち発信側の２極から８芯ＬＡＮケーブル３、４の通信線８に出力され、ＬＡＮ用ローゼット５の二本側接続部７にそれぞれ伝達される。
【００１８】
ＬＡＮ用ローゼット５内では、二本側接続部７に２極ずつの電極を用いて伝達されるそれぞれの信号が、一本側接続部９の４極の電極に振り分けられて伝達され、一本の８芯ＬＡＮケーブル１１に伝達される。
【００１９】
そして、他方のＬＡＮ用ローゼット１２の一本側接続部９に伝達されたそれぞれの信号は、二本側接続部７のそれぞれの接続部７ａ、７ｂに分岐して伝達される。このとき、２つのＬＡＮ用ローゼット５、１２は、二本側接続部７のピンと一本側接続部９のピンを同じ規則で接続しているため、それぞれの信号はパーソナルコンピュータ１、２から出力されたときの番号のピンに伝達される。この後、それぞれの信号は、別々の８芯ＬＡＮケーブル１３、１４を経てハブ１５に伝送される。また、ハブ１５を介してそれぞれのパーソナルコンピュータ１、２に返信される信号も上述と同様の経路を辿るため、パーソナルコンピュータ１、２とハブ１５との間で確実に信号を送受信できる。
【００２０】
このように、パーソナルコンピュータ１、２に接続された２本のＬＡＮケーブル３、４から通信に用いられる所定の４芯ずつの通信線８を抽出し、これらの通信線８を８芯ＬＡＮケーブル１１一本に集合させ、この８芯ＬＡＮケーブル１１の通信線８を接続元ごとに２本のＬＡＮケーブル１３、１４に分割し、これらＬＡＮケーブル１３、１４をハブ１５に接続するため、通信線８を１本の８芯ＬＡＮケーブル１１に集合させる区間で８芯ＬＡＮケーブル１１を二重に引く布設工事費の無駄や通信線８等の配線工事材料費の無駄を省くことができると共に、８芯ＬＡＮケーブル１１の布設スペースを半分に減らすことができ、コスト低減と８芯ＬＡＮケーブル布設スペースの有効利用とを達成できる。特に、後から通信機器を増設したり、ＬＡＮ回線を二重化する場合、既設の８芯ＬＡＮケーブル１１を利用できるため、８芯ＬＡＮケーブル１１を新たに壁に貫通させたり床下の配管内に通したりする手間が省け、配線工事材料や工事コストを削減できる。
【００２１】
また、一方にＬＡＮケーブル３、４を二本接続する二本側接続部７と、その二本のＬＡＮケーブル３、４で使用される合計８本の通信線８に接続される一本側接続部９とを有するＬＡＮ用ローゼット５を用いてＬＡＮケーブルの集合と分岐とを行うようにしたため、ＬＡＮケーブル１１の信号線８自体を集合させたり分岐させたりする必要がなく、上述のケーブル結線を容易に行うことができる。
【００２２】
接続部７ａ、７ｂ、９は、８極モジュラジャック１０からなるものとしたため、市販の８極モジュラプラグ付きＬＡＮケーブル３、４、１１、１３、１４をパーソナルコンピュータ１、２等の通信機器やＬＡＮ用ローゼット５、１２にプラグ接続するだけで容易に上述のケーブル結線を行うことができる。
【００２３】
なお、ＬＡＮ用ローゼット５、１２の一本側接続部９と二本側接続部７はそれぞれ８極モジュラジャック１０からなるものについて説明したが、これに限るものではない。例えば図４に示すように、一本側接続部２０は８芯ＬＡＮケーブル２１に直接接続されるものであってもよい。この場合、８芯ＬＡＮケーブル２１の先端には８極モジュラプラグ６が設けられているとよい。そして図５に示すように、二本側接続部２２も同様にＬＡＮケーブル２１に直接接続されるものであってもよい。
【００２４】
これら一本側接続部７、２０及び二本側接続部９、２２を構成する８極モジュラジャック１０又はＬＡＮケーブル２１の組み合わせは、必要に応じて変更するとよい。例えば図６に示すように、ＬＡＮ用ローゼット２３は、二本側接続部７を８極モジュラジャック１０にて構成され、一本側接続部２０を８芯ＬＡＮケーブル２１に直接接続されるものであってもよい。また、図７に示すように、ＬＡＮ用ローゼット２４は、一本側接続部９を８極モジュラジャック１０にて構成され、二本側接続部２２をＬＡＮケーブル２１に直接接続されるものであってもよい。さらに図８に示すように、ＬＡＮ用ローゼット２５は、二本側接続部２６の一方の接続部２６ａが８極モジュラジャック１０にて構成され、他方の接続部２６ｂがＬＡＮケーブル２１に直接接続されるものであってもよい。
【００２５】
また、通信機器の一例としてＬＡＮカードを有するパーソナルコンピュータ１、２やハブ１５を挙げて説明したが、これに限るものではない。通信機器は１０ＢＡＳＥ−Ｔ規格又は１００ＢＡＳＥ−ＴＸ規格に準拠するもの、すなわち、８芯ＬＡＮケーブルを介してその８芯中の所定の４芯のみで接続するものであればどのようなものであってもよい。
【００２６】
またさらに、一本の８芯ＬＡＮケーブルに別々のプロバイダに接続される別々の回線を通してもよく、１００Ｍｂｐｓのスイッチ同士を２ポートずつ繋いで２００Ｍｂｐｓとして帯域を増やすように使ってもよい。
【００２７】
８芯ＬＡＮケーブル３、４、１１、１３、１４、２１は、ＳＴＰ（Shielded Twisted Pair）ケーブルやカテゴリー６ケーブルであってもよい。
【００２８】
そして、通信機器と二本側接続部７との間のＬＡＮケーブル３、４、１３、１４は、少なくとも４芯以上の通信線８を有するものであれば、カテゴリー３などのＬＡＮケーブルであってもよい。ただしこの場合、８極モジュラジャック１０の８極のピンのうち通信に用いられる所定の４極に通信線８がそれぞれ接続されている必要がある。
【図面の簡単な説明】
【００２９】
【図１】ＬＡＮケーブルの結線構造を示す結線図である。
【図２】（ａ）は図１中のＬＡＮ用ローゼットをＬＡＮケーブルを二本接続する側から見た斜視図であり、（ｂ）は図１中のＬＡＮ用ローゼットをＬＡＮケーブルを一本接続する側から見た斜視図である。
【図３】８極モジュラジャックの正面図である。
【図４】他の実施の形態を示すＬＡＮ用ローゼットの斜視図である。
【図５】他の実施の形態を示すＬＡＮ用ローゼットの斜視図である。
【図６】他の実施の形態を示すＬＡＮ用ローゼットの平面図である。
【図７】他の実施の形態を示すＬＡＮ用ローゼットの平面図である。
【図８】他の実施の形態を示すＬＡＮ用ローゼットの平面図である。
【図９】従来のＬＡＮケーブルの結線図である。
【符号の説明】
【００３０】
１  パーソナルコンピュータ（通信機器）
２  パーソナルコンピュータ（通信機器）
３  ８芯ＬＡＮケーブル
４  ８芯ＬＡＮケーブル
５  ＬＡＮ用ローゼット
７  二本側接続部
８  通信線
９  一本側接続部
１０  ８極モジュラジャック
１１  ８芯ＬＡＮケーブル
１２  ＬＡＮ用ローゼット
１３  ８芯ＬＡＮケーブル
１４  ８芯ＬＡＮケーブル
１５  ハブ（通信機器）
２０  一本側接続部
２２  二本側接続部
２３  ＬＡＮ用ローゼット
２４  ＬＡＮ用ローゼット
２５  ＬＡＮ用ローゼット
【図１】
2005259456.tif 000003
【図２】
2005259456.tif 000004
【図３】
2005259456.tif 000005
【図４】
2005259456.tif 000006
【図５】
2005259456.tif 000007
【図６】
2005259456.tif 000008
【図７】
2005259456.tif 000009
【図８】
2005259456.tif 000010
【図９】
2005259456.tif 000011